(57)【特許請求の範囲】
【請求項１】
表示部と、
表示制御部と
を備え、
前記表示制御部は、
カテゴリー項目を示す第１画像と、
前記第１画像の下位層に表示され、前記カテゴリー項目に属する設定項目を示す第２画像と、
前記第１画像の上位層に表示される第３画像と
を表示するように、前記表示部を制御し、
前記設定項目への入力に応じて、前記第１画像および前記第３画像にそれぞれ所定画像を表示するように、前記表示部を制御し、
前記入力があった前記設定項目の数と同数の前記所定画像を表示するように、前記表示部を制御する、表示制御装置。
【請求項２】
前記所定画像と前記第２画像とは、対応付けられており、
前記表示部は、タッチパネルであり、
前記表示制御部は、前記所定画像への接触に応じて、前記第２画像を表示するように、前記表示部を制御する、請求項１に記載の表示制御装置。
【請求項３】
前記所定画像は、前記入力があった前記設定項目の数を示す、請求項１に記載の表示制御装置。
【請求項４】
前記所定画像は、丸印の目印画像、四角形の目印画像、矢印画像又は枠画像である、請求項１に記載の表示制御装置。
【請求項５】
前記表示制御部は、複数の前記第１画像を表示するように、前記表示部を制御する、請求項１に記載の表示制御装置。
【発明の詳細な説明】
【技術分野】
【０００１】
本発明は、表示制御装置及び画像形成装置に関する。
【背景技術】
【０００２】
画像形成装置は、多数の機能を備える。多数の機能としては、例えば、印刷機能、複写機能、スキャナー機能及びＦＡＸ（ファクシミリ）機能がある。画像形成装置は、画像形成部と記憶部と表示部とを備える。記憶部は、多数の機能の設定項目に設定された設定値を記憶する。画像形成部は、記憶部に記憶された設定値に基づいて目的の画像を形成する。目的の画像は、例えば、目的倍率の画像又は目的カラーの画像である。【０００３】
画像形成装置で目的の画像を得るために、ユーザーは、設定項目を示す設定詳細画像を表示部に表示させる。ユーザーは、設定詳細画像を用いて、記憶された設定値を所定の設定値に変更する。記憶部は、新たな設定値を記憶する。その結果、画像形成装置は、新たな設定値に基づいて画像を形成する。【０００４】
一方、ユーザーにとって重要度の高い情報を優先的に表示部に表示する表示装置が開示されている（例えば、特許文献１参照）。特許文献１に記載された表示装置は、制御部と記憶部と表示部とを備える。記憶部は、条件に優先順位を付けて記憶する。制御部は、優先順位の高い情報を検出し、表示部に表示する。【０００５】
ユーザーが、記憶された設定値を新たな設定値に変更した場合に、設定値を更に変更することがある。そのため、ユーザーは設定詳細画像を表示部に表示させる。
【先行技術文献】
【特許文献】
【０００６】
【特許文献１】特開２００６−２０９５５３号公報
【発明の概要】
【発明が解決しようとする課題】
【０００７】
しかしながら、画像形成装置には、多数の設定項目がある。従って、多数の設定項目のうちから、入力があった設定項目を見つけることは容易でなかった。【０００８】
本発明は上記課題に鑑みてなされたものであり、その目的は、入力があった設定項目を容易に見つけることができる表示制御装置及び画像形成装置を提供することにある。
【課題を解決するための手段】
【０００９】
本発明によれば、表示制御装置は、表示部と表示制御部とを備える。前記表示制御部は、第１画像と第２画像とを表示するように、前記表示部を制御する。前記第１画像は、前記第２画像の上位層に表示される。前記第１画像は、カテゴリー項目を示す。前記第２画像は、カテゴリー項目に属する設定項目を示す。前記表示制御部は、設定項目への入力に応じて、前記第１画像に所定画像を表示するように、前記表示部を制御する。【００１０】
本発明によれば、画像形成装置は、画像形成部と上記に記載の表示制御装置とを備える。前記画像形成部は、記録媒体に画像を形成する。設定項目は、画像の形成に関する項目である。
【発明の効果】
【００１１】
本発明によれば、入力があった設定項目を容易に見つけることができる。
【図面の簡単な説明】
【００１２】
【図１】本発明の実施形態に係る画像形成装置を示す模式断面図である。
【図２】図１に示す画像形成装置を示すブロック図である。
【図３】本実施形態に係る操作表示部を示す部分拡大図である。
【図４】本実施形態に係る設定項目「Ｃｏｍｂｉｎｅ」を示す設定詳細画像を示す図である。
【図５】本実施形態に係るカテゴリー項目一覧画像を示す図である。
【図６】本実施形態に係る１個の目印画像（所定画像）が表示されたカテゴリー項目一覧画像を示す図である。
【図７】本実施形態に係る複数個の目印画像が表示されたカテゴリー項目一覧画像を示す図である。
【図８】本実施形態に係る制御部の処理を示すフローチャートである。
【図９】本実施形態に係る数値画像が表示されたカテゴリー項目一覧画像を示す図である。
【発明を実施するための形態】
【００１３】
本発明の実施形態について、図面を参照して説明する。なお、以下に説明する実施形態は、請求の範囲に係る発明を限定するものではない。また、実施形態の中で説明する構成要素の全てが発明の解決手段に必須であるとは限らない。複数の図を通じて同一の符号は、同一の構成要素を示している。
【００１４】
まず、図１を参照して、本発明の構成について説明する。図１は、本発明の実施形態に係る画像形成装置１を示す模式断面図である。図１に示すように、画像形成装置１は複合機である。画像形成装置１は、例えば、印刷機能、複写機能、スキャナー機能及びＦＡＸ機能を備える。
【００１５】
画像形成装置１は、本体部２００、原稿読取部５００、原稿給送部６００及び表示制御装置１０を備える。表示制御装置１０は、操作表示部４００と制御部５１とを備える。
【００１６】
原稿読取部５００は、スキャナー５０１を備える。原稿給送部６００は、原稿載置部６０１、給紙ローラー６０２、原稿搬送部６０３及び原稿排出部６０４を備える。給紙ローラー６０２は、原稿載置部６０１にセットされた所要枚数分の原稿を一枚ずつ繰り出す。原稿搬送部６０３は、繰り出される原稿を順次スキャナー５０１の読み取り位置に搬送する。スキャナー５０１は、搬送される原稿の画像を順次読み取る。読み取られた原稿は、原稿排出部６０４に排出される。
【００１７】
本体部２００は、給紙カセット２０１、給紙ローラー２０２、転写ローラー２０３、感光体ドラム２０４、露光装置２０６、現像装置２０７、定着ローラー２０８及び排出トレイ（図示せず）を備える。
【００１８】
感光体ドラム２０４は、矢印方向に回転しながら帯電装置（図示省略）によって一様に帯電される。露光装置２０６は、レーザー光を感光体ドラム２０４上に走査し、感光体ドラム２０４表面に色毎の静電潜像を形成する。現像装置２０７は、黒色の現像剤を感光体ドラム２０４に供給してトナー画像を形成する。
【００１９】
給紙ローラー２０２は、用紙が収納された給紙カセット２０１から用紙を引き出し、用紙を転写ローラー２０３まで給送する。用紙は、記録媒体の一例である。転写ローラー２０３は、搬送された用紙に感光体ドラム２０４上のトナー像を転写させる。定着ローラー２０８は、転写されたトナー像を加熱して用紙に定着させる。トナー像が用紙に定着された後、用紙は排出トレイへ排出される。
【００２０】
図２は、図１に示す画像形成装置１を示すブロック図である。図２に示すように、画像形成装置１は、表示制御装置１０に加えて、スキャナー部１１、画像処理部２１及びプリンター部３１を更に備える。
【００２１】
スキャナー部１１は、露光ランプにより原稿を照射し、反射光をＣＣＤ（Ｃｈａｒｇｅ  Ｃｏｕｐｌｅｄ  Ｄｅｖｉｃｅ）で受光することにより、原稿から画像を読み取り、読み取った画像を画像処理部２１へ出力する。
【００２２】
画像処理部２１は、制御部５１に記憶された情報に基づいて、読み取られた画像を処理する。画像処理部２１によって処理された画像はプリンター部３１に出力される。
【００２３】
プリンター部３１は、用紙搬送部３２と画像形成部３３と転写部３４と定着部３５とを含む。用紙搬送部３２は、給紙カセット２０１及び給紙ローラー２０２を備える。画像形成部３３は、感光体ドラム２０４、露光装置２０６及び現像装置２０７を備える。転写部３４は、転写ローラー２０３を備える。定着部３５は、定着ローラー２０８を備える。
【００２４】
制御部５１は、プロセッサー（図示せず）及び記憶部５２を備える。プロセッサーは、例えばＣＰＵ（Ｃｅｎｔｒａｌ  Ｐｒｏｃｅｓｓｉｎｇ  Ｕｎｉｔ）を備える。
【００２５】
記憶部５２は、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、二次記憶装置とを含む。二次記憶装置は、例えば、ハードディスク又はフラッシュメモリーの不揮発性の記憶装置である。記憶部５２のＲＯＭには、制御部５１によって実行される種々のコンピュータープログラムが記憶される。制御部５１が、ＲＯＭに記憶された各種のコンピュータープログラムをＲＡＭにロードして実行することにより、制御部５１の機能が実現される。
【００２６】
次に、図３を参照して、操作表示部４００について説明する。図３は、操作表示部４００を示す部分拡大図である。図３に示すように、操作表示部４００は、表示部４１０と操作キー部４３０とを備える。
【００２７】
表示部４１０は、ＬＣＤ（Ｌｉｑｕｉｄ  Ｃｒｙｓｔａｌ  Ｄｉｓｐｌａｙ）を含む。また、表示部４１０は、一例として、表示機能とタッチ操作を感知する入力機能とを含むタッチパネルである。表示部４１０には、制御部５１による制御の下で、種々の操作画像が表示される。表示部４１０によれば、ユーザーが操作画像と接触することで、種々の実行指令が制御部５１に入力される。
【００２８】
操作キー部４３０は、ユーザーから入力操作を受け付ける。操作キー部４３０は、スタートキー４３２と、テンキー４３３と、機能切換キー４３４と、リセットキー４３５とを備える。
【００２９】
スタートキー４３２は、コピー動作及びスキャン動作のような動作を開始させる指示をユーザーから受け付ける。テンキー４３３は、コピー部数を指定する指示をユーザーから受け付ける。機能切換キー４３４は、印刷機能と複写機能とスキャナー機能とＦＡＸ機能とを相互に切り替える指示をユーザーから受け付ける。リセットキー４３５は、リセット操作をユーザーから受け付ける。
【００３０】
ここで、記憶部５２に記憶される情報について説明する。記憶部５２には、ユーザーが目的の画像を得るために、例えば、印刷機能、複写機能、スキャナー機能及びＦＡＸ機能の各々において、多数の設定項目の情報が記憶されている。多数の設定項目は、画像に関する項目である。多数の設定項目は、例えば、倍率設定、カラー設定及び集約（Ｃｏｍｂｉｎｅ）設定である。
【００３１】
複数の設定項目の各々には、ユーザーからの入力操作によって所定のタイミングで、設定値が設定される。所定のタイミングとしては、例えば、ユーザーが目的の画像を得る直前が挙げられる。つまり、設定値は、所望する目的の画像が得られるように新たに設定される。例えば、現ユーザーは、倍率設定で設定値として「１００％」を設定し、カラー設定で設定値として「フルカラー」を設定し、Ｃｏｍｂｉｎｅ設定で設定値として「２ｉｎ１」を設定することによって、目的の画像を得ることができる。
【００３２】
なお、「倍率設定」における設定値は、例えば、原稿の大きさを１００％とした場合における対象画像の大きさを示す数値（例えば、「１００％」）である。また、「カラー設定」における設定値は、例えば、フルカラーモードを示す状態（「フルカラー」）、白黒モードを示す状態（「白黒」）、及び、自動カラーモードを示す状態（「自動カラー」）である。
【００３３】
また、記憶部５２には、複数（例えば、６個）のカテゴリー項目の情報が記憶されている。多数の設定項目は、複数のカテゴリー項目のうちのいずれかのカテゴリー項目に分類される。
【００３４】
次に、図４及び図５を参照して、設定項目に設定された設定値を変更する方法について説明する。設定値の変更は、表示部４１０に表示される操作画像を用いて行われる。操作画像は、カテゴリー項目一覧画像７０１と設定詳細画像７０２（第２画像に相当）とを含む。カテゴリー項目一覧画像７０１は、カテゴリー項目の一覧を示す。設定詳細画像７０２は、設定項目を示す。
【００３５】
まず設定詳細画像７０２について説明する。図４は、設定項目「Ｃｏｍｂｉｎｅ」を示す設定詳細画像７０２を示す図である。図４に示すように、設定詳細画像７０２は、ヘッダーエリア７０２ｄと、「Ｏｆｆ」ボタン７０２ａと、「２ｉｎ１」ボタン７０２ｂと、「４ｉｎ１」ボタン７０２ｃとを含む。ヘッダーエリア７０２ｄは、「Ｃａｎｃｅｌ」ボタン７０２ｅと、「ＯＫ」ボタン７０２ｆと、見出し「Ｃｏｍｂｉｎｅ」７０２ｇとを含む。「Ｏｆｆ」ボタン７０２ａは、用紙１ページに対して印刷対象１ページを形成するように設定するボタンである。「２ｉｎ１」ボタン７０２ｂは、用紙１ページに対して印刷対象２ページを形成するように設定するボタンである。「４ｉｎ１」ボタン７０２ｃは、用紙１ページに対して印刷対象４ページを形成するように設定するボタンである。設定詳細画像７０２では、設定項目「Ｃｏｍｂｉｎｅ」に設定値「Ｏｆｆ」、設定値「２ｉｎ１」、設定値「４ｉｎ１」のうちのいずれかがユーザーの入力操作によって設定される。
【００３６】
図５は、カテゴリー項目一覧画像７０１を示す図である。図５に示すように、カテゴリー項目一覧画像７０１は、ナビゲーションエリア７０３と、メインエリア７０４とを含む。ナビゲーションエリア７０３は、複数（例えば、６個）のカテゴリー項目画像７０３ａ〜７０３ｆ（第１画像に相当）を含む。複数のカテゴリー項目画像７０３ａ〜７０３ｆの各々は、カテゴリー項目を示す。複数のカテゴリー項目画像７０３ａ〜７０３ｆは、例えば、「Ｑｕｉｃｋ  Ｓｅｔｕｐ」ボタン７０３ａと、「Ｏｒｇ．／Ｐａｐｅｒ／Ｆｉｎｉｓｈｉｎｇ」ボタン７０３ｂと、「Ｌａｙｏｕｔ／Ｅｄｉｔ」ボタン７０３ｃと、「Ｃｏｌｏｒ／Ｉｍａｇｅ  Ｑｕａｌｉｔｙ」ボタン７０３ｄと、「Ａｄｖａｎｃｅｄ  Ｓｅｔｕｐ」ボタン７０３ｅと、「Ｆａｖｏｒｉｔｅｓ」ボタン７０３ｆとである。
【００３７】
メインエリア７０４は、多数の設定項目画像７０４ａ〜７０４ｃを含む。多数の設定項目画像７０４ａ〜７０４ｃは、例えば、「Ｚｏｏｍ」ボタン７０４ａと、「Ｃｏｍｂｉｎｅ」ボタン７０４ｂと、「Ｍｓｒｇｉｎ／Ｃｅｎｔｅｒｉｎｇ」ボタン７０４ｃとを含む。多数の設定項目画像７０４ａ〜７０４ｃの各々は、設定項目を示す。なお、メインエリア７０４の大きさは表示部４１０の大きさによって決まっている。しかしながら、設定項目画像の数は、多数であるため、メインエリア７０４には、全ての数の設定項目画像を表示することはできない。従って、メインエリア７０４には、多数の設定項目画像のうちから所定数の設定項目画像７０４ａ〜７０４ｃのみが表示される。ユーザーによる上下のスクロール操作が行われることによって、メインエリア７０４に表示される所定数の設定項目画像７０４ａ〜７０４ｃが切り替えられる。
【００３８】
引き続き、図２、図４及び図５を参照して、制御部５１の構成について説明する。制御部５１は、記憶部５２に加えて、更に表示制御部５１１を備える。
【００３９】
表示制御部５１１は、入力操作に基づいてカテゴリー項目一覧画像７０１又は設定詳細画像７０２を表示部４１０に表示するように、表示部４１０を制御する。表示制御部５１１は、まず初めにカテゴリー項目一覧画像７０１を表示部４１０に表示する（図５参照）。また、ユーザーによって複数のカテゴリー項目画像７０３ａ〜７０３ｆのうちの１個のカテゴリー項目画像が押圧されると、表示制御部５１１は、メインエリア７０４の画像のスクロール操作を行う。その結果、表示制御部５１１は、多数の設定項目画像のうちからカテゴリー項目に属する設定項目を示す設定項目画像７０４ａ〜７０４ｃをメインエリア７０４に表示する。例えば、「Ｌａｙｏｕｔ／Ｅｄｉｔ」ボタン７０４ｃが押圧されると、メインエリア７０４に表示された画像が自動的にスクロールする。その結果、メインエリア７０４には、例えば、カテゴリー項目「Ｌａｙｏｕｔ／Ｅｄｉｔ」に属する設定項目を示す「Ｚｏｏｍ」ボタン７０４ａと「Ｃｏｍｂｉｎｅ」ボタン７０４ｂと「Ｍｓｒｇｉｎ／Ｃｅｎｔｅｒｉｎｇ」ボタン７０４ｃとが表示される。
【００４０】
一方、ユーザーによって多数の設定項目画像７０４ａ〜７０４ｃのうちから１個の設定項目画像が押圧されると、表示制御部５１１は、画像の切り替え操作を行う。その結果、表示制御部５１１は、設定項目画像７０４ａ〜７０４ｃに対応付けられた設定詳細画像７０２を表示部４１０に表示する（図４参照）。例えば、「Ｃｏｍｂｉｎｅ」ボタン７０４ｂが押圧されると、表示部４１０の画像が切り替わる。その結果、表示部４１０には、設定項目「Ｃｏｍｂｉｎｅ」を示す設定詳細画像７０２が表示される。つまり、カテゴリー項目一覧画像７０１は、設定詳細画像７０２の上位層に表示される。上位層に表示される設定項目画像７０４ａ〜７０４ｃと、下位層に表示される設定詳細画像７０２とは、対応付けられている。
【００４１】
設定詳細画像７０２が表示されると、ユーザーは「Ｏｆｆ」ボタン７０２ａ〜「ＯＫ」ボタン７０２ｆを押圧することで、設定項目に設定された設定値を変更する。本実施形態では、表示制御部５１１は、設定項目への入力に応じて、第１画像に所定画像７０５を表示するように、表示部４１０を制御する。詳細には、設定値が変更されたとき、表示制御部５１１は、所定画像７０５が付されたカテゴリー項目一覧画像７０１を表示するように、表示部４１０を制御する。更に、表示制御部５１１は、所定画像７０５と、変更があった設定項目とを対応付けて記憶部５２に記憶させる。
【００４２】
図６は、１個の目印画像７０５（所定画像）が表示されたカテゴリー項目一覧画像７０１を示す図である。図６に示すように、１個の目印画像７０５がカテゴリー項目画像７０３ｃの右上に更に表示されている。目印画像７０５は、設定項目が属するカテゴリー項目を示すカテゴリー項目画像７０３ｃに表示される。所定画像７０５としては、例えば、丸印の目印画像、四角形の目印画像、矢印画像又は枠画像が挙げられる。目印画像７０５が表示されていることで、ユーザーは、カテゴリー項目に属する設定項目に設定された設定値が変更されたことを認識するができる。その結果、ユーザーは、設定値が変更された設定項目を示す設定項目画像７０４ａ〜７０４ｃと設定詳細画像７０２とを容易に見つけることができる。
【００４３】
図７は、複数個の目印画像７０５が表示されたカテゴリー項目一覧画像７０１を示す図である。図７に示すように、カテゴリー項目画像７０３ｃの右に３個の目印画像７０５が表示されている。図７に示す３個の目印画像７０５が表示されていることで、ユーザーは、カテゴリー項目に属する３個（目印画像７０５と同数）の設定項目に設定された設定値が変更されたことを認識することができる。
【００４４】
また、表示制御部５１１は、目印画像７０５への接触に応じて、第２画像を表示するように、表示部４１０を制御する。詳細には、表示制御部５１１は、目印画像７０５が押圧されたときに、目印画像７０５に対応付けられた設定項目画像７０４ａ〜７０４ｃを表示するように、表示部４１０を制御する。例えば、カテゴリー項目画像７０３ｃの右上の目印画像７０５が押圧されたときには、表示制御部５１１は、メインエリア７０４の画像のスクロール操作を行う。その結果、表示制御部５１１は、目印画像７０５に対応付けられた設定項目画像７０４ａ〜７０４ｃをメインエリア７０４に表示する。つまり、多数の設定項目画像７０４ａ〜７０４ｃのうちから設定値が変更された設定項目を示す設定項目画像をメインエリア７０４に表示することができる。更に、表示制御部５１１は、設定項目画像７０４ａ〜７０４ｃに対応付けられた設定詳細画像７０２を表示部４１０に表示してもよい。なお、目印画像７０５以外のカテゴリー項目画像７０３ｃ中が押圧されたときには、表示制御部５１１は、メインエリア７０４の画像のスクロール操作を行う。その結果、カテゴリー項目に属する設定項目を示す設定項目画像７０４ａ〜７０４ｃをメインエリア７０４に表示する。
【００４５】
次に、図８を参照して、本実施形態に係る制御部５１の処理について説明する。図８は、本実施形態に係る制御部５１の処理を示すフローチャートである。制御部５１の処理は、ステップＳ１０１〜ステップＳ１０４を含む。
図８に示すように、まず、ステップＳ１０１において、表示制御部５１１は、カテゴリー項目一覧画像７０１を表示部４１０に表示する。
【００４６】
次に、ステップＳ１０２において、設定項目画像７０４ａ〜７０４ｃがユーザーによって押圧されると、表示制御部５１１は、設定詳細画像７０２を表示部４１０に表示する。
【００４７】
次に、ステップＳ１０３において、ユーザーの入力操作によって設定詳細画像７０２に設定値が入力されると、表示制御部５１１は、設定項目に設定された設定値を変更する。
【００４８】
次に、ステップＳ１０４において、表示制御部５１１は、目印画像７０５を表示するように、表示部４１０を制御する。目印画像７０５は、設定項目が属するカテゴリー項目を示すカテゴリー項目画像７０３ａ〜７０３ｆに表示される。表示制御部５１１は、カテゴリー項目画像７０３ａ〜７０３ｆに目印画像７０５を表示するように、表示部４１０を制御した場合には、処理が終了する。
【００４９】
以上、図１〜図８を参照して説明したように、本実施形態では、カテゴリー項目一覧画像７０１に、目印画像７０５が付けられたカテゴリー項目画像７０３ａ〜７０３ｆが含まれるので、設定値が変更された設定項目を示す設定項目画像７０４ａ〜７０４ｃと設定詳細画像７０２とを容易に見つけることができる。
【００５０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５１】
（１）本実施形態では、表示制御部５１１は、設定値が変更されると、カテゴリー項目画像７０３ａ〜７０３ｆに目印画像７０５を表示した。ただし、表示制御部５１１は、設定値が変更されると、カテゴリー項目画像７０３ａ〜７０３ｆに数値画像７０６を表示してもよい。
図９は、数値画像７０６が表示されたカテゴリー項目一覧画像７０１を示す図である。図９に示すように、カテゴリー項目画像７０３ｃの右に数値画像７０６が表示されている。本実施形態において、数値画像７０６は数字６を示す。即ち、数値画像７０６が表示されていることで、ユーザーは、カテゴリー項目に属する６個の設定項目で、設定値が変更されたことを認識することができる。更に、表示制御部５１１は、判定部を備えてもよい。判定部が、設定値が変更された数を判定する。判定部は、変更された数が所定値未満であれば、目印画像７０５を表示し、一方、所定値以上であれば、数値画像７０６を表示してもよい。
【００５２】
（２）本実施形態では、目印画像７０５を表示した場所は、設定詳細画像７０２の上位層に表示されるカテゴリー項目一覧画像７０１であった。ただし、カテゴリー項目一覧画像７０１の上位層に表示される最上位層画像がある場合には、最上位層画像にも目印画像７０５を表示してもよい。
【００５３】
（３）本実施形態では、画像形成装置１は、複合機に限定されず、例えば、複写機、ファクシミリ、又は、プリンターである。また、表示制御装置１０が画像形成装置１に備えられる場合について説明したが、限定されない。例えば、表示制御装置１０が、スマートフォン、タブレット型コンピューター、ＣＤプレイヤー、ＤＶＤプレイヤー、及び、各種家電機器のような装置でもよい。
【産業上の利用可能性】
【００５４】
本発明は、表示制御装置及び画像形成装置に関するものであり、産業上の利用可能性を有する。
【図１】
0006881686.tif 000002
【図２】
0006881686.tif 000003
【図３】
0006881686.tif 000004
【図４】
0006881686.tif 000005
【図５】
0006881686.tif 000006
【図６】
0006881686.tif 000007
【図７】
0006881686.tif 000008
【図８】
0006881686.tif 000009
【図９】
0006881686.tif 000010